(57)【要約】【課題】従来のソケット装置で生じ得る欠点を効果的に改善できるための吊り掛け型ソケット装置を提供すること。【解決手段】重り部と、重り部から離間して設置される吊り掛け部と、両端がそれぞれ重り部と吊り掛け部に接続される延伸部と、吊り掛け部に取り付ける音声制御モジュールと、重り部に接続される電源線とを備える吊り掛け型ソケット装置。重り部のソケットユニット及び音声制御モジュールが電源線のソケットユニットに電気的に接続される。前記音声制御モジュールは、音声信号を受信し、前記音声信号に基いて対応する電子装置を制御することができる。その中で、前記吊り掛け型ソケット装置は、重り部と吊り掛け部をそれぞれ板部材の下方と上方に置き、吊り掛け型ソケット装置の重力によって吊り掛け部を板部材に当接させ続けることにより、板部材に吊り掛けて静的バランス状態とすることができる。それ以外、本発明はまた、無線でスピーカーを制御できる吊り掛け型ソケット装置を提供する。【選択図】図１３
2018073832.tif 000002
【特許請求の範囲】
【請求項１】
板部材に吊り掛けるための吊り掛け型ソケット装置であって、
ソケットユニットを含む重り部と、
前記重り部から離間して設置される吊り掛け部と、
両端がそれぞれ前記重り部と前記吊り掛け部に接続され、離れている前記吊り掛け部の末端との間に横方向距離が形成され、前記横方向距離に平行な幅を有し、前記幅が前記横方向距離より小さいか又は等しい延伸部と、
前記吊り掛け部に取り付けて音声信号を受信するための音声受信器を含み、前記音声受信器に受信された前記音声信号に基いて、対応する電子装置を制御できるための音声制御モジュールと、
一端が前記重り部に接続され、他端が給電ソケットに分離可能に挿入して接続されるためのものであり、前記ソケットユニットと前記音声制御モジュールに電気的に接続される電源線と、
を備え、
前記重り部と前記吊り掛け部をそれぞれ前記板部材の下方と上方に置き、前記吊り掛け型ソケット装置の重力によって前記吊り掛け部を前記板部材に当接させ続けることにより、前記吊り掛け型ソケット装置を前記板部材に吊り掛けて静的バランス状態とすることができることを特徴とする、吊り掛け型ソケット装置。
【請求項２】
前記重り部は第１のハウジングを含み、前記ソケットユニットが前記第１のハウジング内に設置され、前記吊り掛け部は第２のハウジングを含み、前記音声受信器が前記第２のハウジングに埋設され、前記延伸部は第３のハウジングを含み、前記第３のハウジングの両端がそれぞれ前記第１のハウジングと前記第２のハウジングに垂直に接続されることを特徴とする、請求項１に記載の吊り掛け型ソケット装置。
【請求項３】
前記第３のハウジングは、一端が前記第１のハウジングに一体的に接続され、他端が前記第２のハウジングに一体的に接続され、前記第１のハウジング、前記第２のハウジング、及び前記第３のハウジングにより囲まれてＵ字状の吊り掛け口が形成され、前記音声制御モジュールは前記Ｕ字状の吊り掛け口の外にあることを特徴とする、請求項２に記載の吊り掛け型ソケット装置。
【請求項４】
前記吊り掛け型ソケット装置は更に複数の増設ソケットを含み、前記音声制御モジュールは、無線で複数の前記増設ソケットに接続され、このようにして、前記音声受信器に受信された前記音声信号に基いて、複数の前記増設ソケットの少なくとも一つを制御できることを特徴とする、請求項１〜３のいずれか１項に記載の吊り掛け型ソケット装置。
【請求項５】
前記音声制御モジュールは更に、
前記音声受信器に電気的に接続され、複数の前記増設ソケットのそれぞれに対応する複数の音声信号を区別できる音声識別器と、
前記音声識別器に電気的に接続され、無線で複数の前記増設ソケットに直接的に接続される無線コントローラーであって、前記音声識別器により前記音声受信器に受信された前記音声信号を識別することによって、前記音声識別器により識別された一つの前記増設ソケットをオン又はオフにすることができる無線コントローラーと、
を含むことを特徴とする、請求項４に記載の吊り掛け型ソケット装置。
【請求項６】
前記音声制御モジュールは更に、前記電源線と前記音声受信器に電気的に接続される交流直流コンバーターを含み、前記吊り掛け型ソケット装置は更に、前記吊り掛け部に取り付けて前記交流直流コンバーターに電気的に接続されるスピーカーを含み、前記音声制御モジュールは前記音声受信器に受信された前記音声信号に基いて、前記スピーカーの音量を制御できることを特徴とする、請求項１〜３のいずれか１項に記載の吊り掛け型ソケット装置。
【請求項７】
重り部と、
前記重り部から離間して設置される吊り掛け部であって、前記重り部と前記吊り掛け部の少なくとも一方がソケットユニットを含む吊り掛け部と、 
両端がそれぞれ前記重り部と前記吊り掛け部に接続される延伸部と、
前記吊り掛け部又は前記延伸部に取り付けて音声信号を受信するための音声受信器を含み、前記音声受信器に受信された前記音声信号に基いて、対応する電子装置を制御できるための音声制御モジュールと、
を備えることを特徴とする、吊り掛け型ソケット装置。
【請求項８】
前記吊り掛け部の前記延伸部から離れる末端が前記延伸部に対して横方向距離を形成し、前記延伸部が前記横方向距離に平行な幅を有し、前記幅が前記横方向距離より小さいか又は等しいことを特徴とする、請求項７に記載の吊り掛け型ソケット装置。
【請求項９】
前記音声制御モジュールは更に、
前記音声受信器に電気的に接続され、複数の増設ソケットのそれぞれに対応する複数の音声信号を区別できる音声識別器と、
前記音声識別器に電気的に接続され、無線で複数の前記増設ソケットに接続されるための無線コントローラーであって、前記音声識別器により前記音声受信器に受信された前記音声信号を識別することによって、前記音声識別器により識別された一つの前記増設ソケットをオン又はオフにすることができる無線コントローラーと、
を含むことを特徴とする、請求項７又は８に記載の吊り掛け型ソケット装置。
【請求項１０】
重り部と、
前記重り部から離間して設置される吊り掛け部であって、前記重り部と前記吊り掛け部の少なくとも一方がソケットユニットを含む吊り掛け部と、
両端がそれぞれ前記重り部と前記吊り掛け部に接続される延伸部と、
無線コントローラーに電気的に接続される交流直流コンバーター及び前記無線コントローラーと、
前記交流直流コンバーターと前記無線コントローラーに電気的に接続されるスピーカーであって、前記無線コントローラーが受信された外部無線信号に基いて前記スピーカーを制御できるスピーカーと、
を備え、
前記スピーカー、前記交流直流コンバーター、及び前記無線コントローラーは、前記重り部、前記吊り掛け部、及び前記延伸部の少なくとも一つに取り付けることを特徴とする、吊り掛け型ソケット装置。
【発明の詳細な説明】
【技術分野】
【０００１】
本発明は、ソケットに関し、特に吊り掛け型ソケット装置に関する。
【背景技術】
【０００２】
従来のソケット装置は近年、その構造が余り変化しないため、その機能も自然と制限されていた。例えば、従来のソケット装置をデスクまたはテーブルなどの環境に適用する場合、従来のソケット装置は電力を供給すること以外、他の追加機能を備えることはできない。
【０００３】
そして、本発明者は前記デメリットが改善できると考え、鋭意検討し、また学理を活用し、設計が合理的で、かつ前記デメリットを効果的に改善できる本発明をようやく提案した。
【発明の概要】
【発明が解決しようとする課題】
【０００４】
本発明の実施例は、従来のソケット装置で生じ得る欠点を効果的に改善できるための吊り掛け型ソケット装置を提供することにある。
【課題を解決するための手段】
【０００５】
本発明の実施例では、板部材に吊り掛けるための吊り掛け型ソケット装置が開示されている。前記吊り掛け型ソケット装置は、ソケットユニットを含む重り部と、前記重り部から離間して設置される吊り掛け部と、両端がそれぞれ前記重り部と前記吊り掛け部に接続される延伸部と、音声制御モジュールと、電源線とを備える。前記吊り掛け部の前記延伸部から離れる末端が前記延伸部に対して横方向距離が形成されて、前記延伸部は前記横方向距離に平行な幅を有する。前記幅が前記横方向距離より小さいか又は等しい。前記音声制御モジュールは、前記吊り掛け部に取り付けて音声信号を受信するための音声受信器を含み、前記音声受信器に受信された前記音声信号に基いて、対応する電子装置を制御できる。前記電源線は、一端が前記重り部に接続され、他端が給電ソケットに分離可能に挿入して接続されるためのものであり、前記ソケットユニットと前記音声制御モジュールに電気的に接続される。
【０００６】
前記吊り掛け型ソケット装置は、前記重り部と前記吊り掛け部をそれぞれ前記板部材の下方と上方に置き、前記吊り掛け型ソケット装置の重力によって前記吊り掛け部を前記板部材に当接させ続けることにより、前記吊り掛け型ソケット装置を前記板部材に吊り掛けて静的バランス状態とすることができる。
【０００７】
本発明の実施例では、重り部と、前記重り部から離間して設置される吊り掛け部であって、前記重り部と前記吊り掛け部の少なくとも一方がソケットユニットを含む吊り掛け部と、両端がそれぞれ前記重り部と前記吊り掛け部に接続される延伸部と、前記吊り掛け部又は前記延伸部に取り付けて音声信号を受信するための音声受信器を含み、前記音声受信器に受信された前記音声信号に基いて、対応する電子装置を制御できるための音声制御モジュールとを備える吊り掛け型ソケット装置も開示されている。
【０００８】
また、本発明の実施例では、重り部と、前記重り部から離間して設置される吊り掛け部であって、前記重り部と前記吊り掛け部の少なくとも一方がソケットユニットを含む吊り掛け部と、両端がそれぞれ前記重り部と前記吊り掛け部に接続される延伸部と、無線コントローラーに電気的に接続される交流直流コンバーター及び前記無線コントローラーと、前記交流直流コンバーターと前記無線コントローラーに電気的に接続されるスピーカーであって、前記無線コントローラーが受信された外部無線信号に基いて前記スピーカーを制御できるスピーカーとを備える吊り掛け型ソケット装置が開示されている。前記スピーカー、前記交流直流コンバーター、及び前記無線コントローラーは、前記重り部、前記吊り掛け部、及び前記延伸部の少なくとも一つに取り付ける。
【発明の効果】
【０００９】
総じて言えば、本発明の実施例に開示されている吊り掛け型ソケット装置は、無線で電子装置又はスピーカーを制御できる（例えば、音声制御モジュールを取り付けることによって対応して電子装置を制御できる、又は、無線コントローラーを取り付けることによって対応してスピーカーを制御できる）ことによって、吊り掛け型ソケット装置の追加価値を向上させる。また、前記吊り掛け型ソケット装置の音声制御モジュールは更に、無線で増設ソケットに接続でき、さらにユーザーは音声制御モジュールによって増設ソケットを制御しやすくなる。
【００１０】
本発明の特徴及び技術内容がより一層理解されるように、以下に本発明に関する詳細な説明と添付図面を参照するが、これらの説明と添付図面は本発明を説明するためのものに過ぎず、本発明の保護範囲を何ら限定するものではない。
【図面の簡単な説明】
【００１１】
【図１】本発明に係る吊り掛け型ソケット装置を板部材に吊り掛けて給電ソケットに電気的に接続する模式図である。
【図２】本発明に係る吊り掛け型ソケット装置の実施例１の斜視模式図である。
【図３】図２の平面模式図である。
【図４】図２の吊り掛け型ソケット装置を板部材に吊り掛ける模式図である。
【図５】本発明に係る吊り掛け型ソケット装置の実施例２の斜視模式図である。
【図６】図５の平面模式図である。
【図７】図５の吊り掛け型ソケット装置を板部材に吊り掛ける模式図である。
【図８】本発明に係る吊り掛け型ソケット装置の実施例３の斜視模式図である。
【図９】図８の平面模式図である。
【図１０】図８の重り部と延伸部が相対的に回転できる模式図である。
【図１１】図８の重り部と延伸部が相対的に伸縮できる模式図である。
【図１２】図８の吊り掛け型ソケット装置を板部材に吊り掛ける模式図である。
【図１３】本発明に係る吊り掛け型ソケット装置の実施例４の模式図（１）である。
【図１４】本発明に係る吊り掛け型ソケット装置の実施例４の模式図（２）である。
【図１５】本発明に係る吊り掛け型ソケット装置の実施例４の模式図（３）である。
【図１６】本発明に係る吊り掛け型ソケット装置の実施例５の模式図（１）である。
【図１７】本発明に係る吊り掛け型ソケット装置の実施例５の模式図（２）である。
【発明を実施するための形態】
【００１２】
図１乃至図１７に示すことを参照し、前記図１は本発明の模式図であり、前記図２乃至図１７は本発明の実施例１乃至５である。なお、各実施例の対応する図面に言及している関連する数と外形は、本発明の実施の態様を具体的に説明し、本発明を理解しやすくするためのものに過ぎず、本発明の保護範囲を限定するためのものではない。
【００１３】
図１に示すように、本発明では、板部材２００（例えば、デスク、テーブル、カウンター、又は他の板部材）に吊り掛けるための吊り掛け型ソケット装置１００が開示されており、本発明はこれに制限されるものではない。前記吊り掛け型ソケット装置１００は、重り部１と、前記重り部１から離間して設置される吊り掛け部２と、前記重り部１と吊り掛け部２に接続される延伸部３と、前記重り部１に接続される電源線４とを含む。
【００１４】
その中で、本発明の延伸部３は、両端（図１の延伸部３の底端と頂端）でそれぞれ前記重り部１及び吊り掛け部２に接続され、前記延伸部３が重り部１及び吊り掛け部２に対する具体的な接続仕方は、様々な接続の態様を採用でき、例えば一体的に接続されてもよく、分離可能に接続されてもよく、摺動可能に接続されてもよく、又は回転可能に接続されてもよいが、本発明には制限しない。
【００１５】
また、前記重り部１は第１のソケットユニット１１を含み、前記吊り掛け部２は第２のソケットユニット２１を含む。即ち、重り部１、吊り掛け部２、及び延伸部３の重量割合を調整することによって、前記吊り掛け型ソケット装置１００を前記板部材２００に吊り掛けることに寄与できる。また、前記重り部１と延伸部３との間にも、サイズでの設計によって、吊り掛け型ソケット装置１００をさらに安定的に板部材２００に吊り掛けることができる。例えば、吊り掛け部２の前記延伸部３から離れる末端（例えば、図１の吊り掛け部２の右端）は、前記延伸部３に対して横方向距離Ｄを形成し、前記延伸部３は前記横方向距離Ｄに平行な幅Ｗを有し、前記幅Ｗは横方向距離Ｄより小さいか又は等しい。
【００１６】
前記電源線４は、一端が前記重り部１に接続され、他端が給電ソケット３００（例えば、一般用ソケット）に分離可能に挿入して接続されるためのものである。その中で、前記電源線４が前記第１のソケットユニット１１と第２のソケットユニット２１に電気的に接続され、これによって、電源線４を介して前記給電ソケット３００の電力を第１のソケットユニット１１と第２のソケットユニット２１に送電する。また、前記電源線４と重り部１との接続仕方は、様々な接続の態様を採用でき、例えば固定的に接続されてもよく、分離可能に接続されてもよく、又は回転可能に接続されてもよいが、本発明には制限しない。
【００１７】
以上に示すように、本発明に係る吊り掛け型ソケット装置１００は、前記重り部１と吊り掛け部２をそれぞれ板部材２００の下方と上方に置き、前記吊り掛け型ソケット装置１００の重力によって吊り掛け部２を板部材２００（の頂面）に当接させ続けることにより、前記吊り掛け型ソケット装置１００を板部材２００に吊り掛けて静バランス状態とすることができる。これによって、本発明に係る吊り掛け型ソケット装置１００は、板部材２００に吊り掛ける仕方によって、吊り掛け部２における第２のソケットユニット２１及び重り部１における第１のソケットユニット１１で、板部材２００の上方と板部材２００の下方ともにソケットを使用する必要がある場合を同時に満たすことができる。
【００１８】
以上は、本発明に係る吊り掛け型ソケット装置１００の主な技術的特徴であり、実際的に適用する場合、設計者は前記技術的特徴を合理的に使用して又は増減し、異なる実施の態様の吊り掛け型ソケット装置１００を完成できるため、本発明には吊り掛け型ソケット装置１００のすべての実施の態様を一つ一つ紹介することが困難である。そのため、以下では、前記技術的特徴を使用する一部の実施の態様を挙げて吊り掛け型ソケット装置１００を説明するが、本発明の保護範囲はこれに制限されるものではない。
【００１９】
［実施例１］
図２乃至図４を参照し、これは本発明の実施例１であり、本実施例を理解しやすくするために、前記共通した技術的特徴の記述を省略するとともに、以下のように本実施例の吊り掛け型ソケット装置１００の具体的な構造を説明する。
【００２０】
前記重り部１は第１のハウジング１２を含み、前記第１のソケットユニット１１が前記第１のハウジング１２内に設置される。即ち、本実施例において、前記第１のハウジング１２及びその内部に配置されているエレメントと構造は、合わせて重り部１と称することができる。その中で、前記第１のソケットユニット１１は少なくとも一つの交流電源ソケット１１１を含み、前記交流電源ソケット１１１のジャックは、重り部１の前記吊り掛け部２に対向していない面（例えば、図２の第１のハウジング１２の側面）に設置されるが、本発明はこれに制限されるものではない。
【００２１】
前記吊り掛け部２は第２のハウジング２２を含み、前記第２のソケットユニット２１が第２のハウジング２２内に設置される。即ち、本実施例において、前記第２のハウジング２２及びその内部に配置されているエレメントと構造は、合わせて吊り掛け部２と称することができる。その中で、前記第２のソケットユニット２１は少なくとも一つの直流電源ソケット２１１（例えば、ＵＳＢソケット）を含み、前記直流電源ソケット２１１のジャックは、吊り掛け部２の前記重り部１から離れる面（例えば、図２の第２のハウジング２２の頂面）に設置されるが、本発明はこれに制限されるものではない。
【００２２】
また、本実施例において、前記吊り掛け部２には更に、第２のソケットユニット２１及び／又は第１のソケットユニット１１へ給電するかどうかを制御するためのスイッチユニット２３が設置される。その中で、前記スイッチユニット２３が吊り掛け部２の前記重り部１から離れる面（例えば、図２の第２のハウジング２２の頂面）に設置され、これによって、ユーザーが操作・制御しやすくなるが、本発明はこれに制限されるものではない。
【００２３】
前記延伸部３は第３のハウジング３１を含み、第３のハウジング３１及びその内部に配置されているエレメントと構造は、合わせて延伸部３と称することができ、本実施例の延伸部３はいずれのソケットユニットを含まないが、本発明はこれに制限されるものではない。その中で、前記第３のハウジング３１は両端がそれぞれ第１のハウジング１２と第２のハウジング２２に垂直に接続される。更に説明すると、前記第３のハウジング３１は、一端（例えば、図３の第３のハウジング３１の底端）が前記第１のハウジング１２に一体的に接続され、他端（例えば、図３の第３のハウジングの頂端）が前記第２のハウジング２２に一体的に接続される。
【００２４】
更に詳細には、前記第１のハウジング１２の長さは、ほぼ前記第２のハウジング２２の長さに等しいため、第１のハウジング１２、第２のハウジング２２、及び第３のハウジング３１で共同に囲まれてＵ字状の吊り掛け口Ｏが形成される。また、前記第１のハウジング１２の幅Ｗ'は、ほぼ前記第２のハウジング２２の幅Ｗ''に等しく、前記第３のハウジングの幅Ｗは、前記第１のハウジング１２の幅Ｗ'より小さい。
【００２５】
また、第１のハウジング１２の前記第３のハウジング３１から離れる隅（例えば、図２の第１のハウジング１２の右下隅）に欠け口１２１が形成され、前記電源線４は回転可能に前記第１のハウジング１２の欠け口１２１を貫通して設置され、これによって、ユーザーは電源線４を回転して適切な位置にしやすくなる。
【００２６】
なお、本実施例で用いられる「第１」、「第２」、及び「第３」は、異なるエレメントを区別するためのものであるが、前後順序という意味を有しないため、本実施例のエレメントの名称における「第１」、「第２」、及び「第３」は省略してもよい。例えば、前記第１のソケットユニット１１と第２のソケットユニット２１は、ソケットユニットと称してもよい。
【００２７】
［実施例２］
図５乃至図７を参照し、これは本発明の実施例２であり、本実施例は前記実施例に類似しているため、同じ点は説明を省略するが、本実施例と前記実施例との主な相違点は以下の通りである。
【００２８】
本実施例の吊り掛け型ソケット装置１００は、前記第１のハウジング１２に可動的に設置される位置制限構造５を更に含み、前記位置制限構造５は、前記Ｕ字状の吊り掛け口Ｏ内にあり、そのトップが前記板部材２００に当接するためのものである。次に、本実施例の位置制限構造５の具体的な実施構造を以下のように説明するが、本発明の位置制限構造５はこれに制限されるものではない。
【００２９】
具体的には、本実施例の位置制限構造５は、ロッド状のトップ当接部材５１と、弾力部材５２（例えば、捩りバネ）とを含む。その中で、前記トップ当接部材５１は、一端（例えば、図６のトップ当接部材５１の底端）が弾力部材５２を介して前記第１のハウジング１２に設置（例えば、軸着）され、他端（例えば、図６のトップ当接部材５１の頂端）が第１のハウジング１２に対して縦方向距離Ｈを形成する。更に説明すると、前記トップ当接部材５１と前記第１のハウジング１２との距離は、底端から頂端への方向（例えば、図６の右から左への方向）に次第に増えているが、前記縦方向距離Ｈは、トップ当接部材５１と第１のハウジング１２との間の最も大きい距離である。
【００３０】
また、前記第１のハウジング１２の内面（例えば、第１のハウジング１２の第２のハウジング２２に向かう面）に、凹んで前記Ｕ字状の吊り掛け口Ｏに連通される収容溝１２２が形成される。その中で、前記収容溝１２２は、前記位置制限構造５の収容に好適であり、このようにして、位置制限構造（のトップ当接部材５１）は押されて収容溝１２２へ移動し、又は完全的に収容溝１２２内に収容することができる。
【００３１】
更に説明すると、前記トップ当接部材５１が板部材２００に押されて前記縦方向距離Ｈが小さくなる（即ち、図７のトップ当接部材５１の頂端が前記収容溝１２２へ移動する）と同時に、前記縦方向距離Ｈへ戻るようとする弾力を前記弾力部材５２に蓄え、これによって、トップ当接部材５１は前記弾力部材５２の弾力によって、しっかりと板部材２００に当接することができる。
【００３２】
［実施例３］
図８乃至図１２を参照し、これは本発明の実施例３であり、本実施例は前記実施例に類似しているため、同じ点は説明を省略するが、本実施例と前記実施例との主な相違点は以下の通りである。
【００３３】
本実施例の第１のハウジング１２は、長尺状を呈して長さ方向Ｌが定義され、前記長さ方向Ｌは横方向距離Ｄと幅Ｗに垂直している。また、前記第３のハウジング３１は、一端（例えば、図８及び図９の第３のハウジング３１の底端）が可動的に前記第１のハウジング１２に接続され、他端（例えば、図８及び図９の第３のハウジング３１の頂端）が前記第２のハウジング２２に一体的に接続される。その中で、前記第３のハウジング３１の一端が可動的に前記第１のハウジング１２に接続されることは、本実施例において、図１０に示すような回転接続でもよく、図１１に示すような伸縮接続でもよいが、ここでは制限しない。
【００３４】
更に詳細には、前記第１のソケットユニット１１は、長さ方向Ｌに沿って配列される複数の交流電源ソケット１１１を含む。前記重り部１は第１のハウジング１２の底部に、第１のソケットユニット１１及び／又は第２のソケットユニット２１へ給電するかどうかを制御するためのスイッチユニット１３が設けられるが、本実施例の吊り掛け部２にはスイッチユニットが設けられていない。また、前記電源線４は、重り部１の吊り掛け部２から離れる末端（例えば、図９の第１のハウジング１２の底縁）に接続される。
【００３５】
［実施例４］
図１３乃至図１５を参照し、これは本発明の実施例４であり、本実施例は前記実施例に類似しているため、同じ点は説明を省略するが、本実施例と前記実施例との主な相違点は以下の通りである。
【００３６】
まず、図１３と図１４に示すことを参照し、本実施例の吊り掛け型ソケット装置１００は、前記重り部１と吊り掛け部２の少なくとも一方にソケットユニットが設置されてもよい。本実施例の図面には、前記重り部１がソケットユニット１１を含むこととして説明するが、本発明はこれに制限されるものではない。即ち、前記重り部１、吊り掛け部２、及び延伸部３の構造設計及びそれに組み合わせる部材は、設計者のニーズに応じて互いに交換して又は調整してもよいが、本発明はここでは制限しない。
【００３７】
また、前記吊り掛け型ソケット装置１００は更に、音声制御モジュール６を含み、本実施例において、前記音声制御モジュール６が吊り掛け部２に取り付けてＵ字状の吊り掛け口Ｏの外にあることとして説明するが、本発明に記述されない他の実施例において、前記音声制御モジュール６は、前記吊り掛け部２、延伸部３、及び重り部１の少なくとも一つに取り付けてもよい。
【００３８】
なお、前記音声制御モジュール６は、交流直流コンバーター６１（ＡＣ／ＤＣ ｃｏｎｖｅｒｔｏｒ）と、音声受信器６２と、音声識別器６３と、無線コントローラー６４とを含む。前記電源線４は、一端が前記重り部１に接続されるとともにソケットユニット１１と交流直流コンバーター６１に電気的に接続され、他端が給電ソケット３００（例えば、一般用ソケット）に分離可能に挿入して接続されるためのものである。これによって、前記給電ソケット３００の電力は、電源線４を介してソケットユニット１１と交流直流コンバーター６１に送電し、そして音声制御モジュール６の音声受信器６２、音声識別器６３、及び無線コントローラー６４に送電することができる。また、本発明に記述されない他の実施例において、前記吊り掛け型ソケット装置１００は、電源線４を省略してもよいし、電源線４の代わりに他のエレメント（例えば、プラグ端子）を使用してもよい。
【００３９】
また、前記吊り掛け型ソケット装置１００は本実施例において、複数の増設ソケット４００、４００'に組み合わせ、又は複数の増設ソケット４００、４００'を含むものであり、前記音声制御モジュール６は、ローカルエリアネットワーク（例えば、図１３）、インターネットＩ（例えば、図１４）、又はブルートゥース（図示せず）などの手段によって、無線で前記複数の増設ソケット４００、４００'に接続される。
【００４０】
更に詳細には、前記交流直流コンバーター６１を前記電源線４、音声受信器６２、音声識別器６３、及び無線コントローラー６４に電気的に接続することによって、電源線４からの交流電力を直流電力に変換し、その後、前記直流電力を音声受信器６２、音声識別器６３、及び無線コントローラー６４に送電する。
【００４１】
また、本実施例において、音声制御モジュール６に交流直流コンバーター６１が設置されることとして説明するが、本発明はこれに制限されるものではない。例えば、本発明に記述されない他の実施例において、前記ソケットユニット１１が直流ソケット及びその対応する交流直流コンバーターを含む場合、前記音声制御モジュール６は前記直流ソケットと一緒に前記交流直流コンバーターを共用できる。
【００４２】
前記音声受信器６２は前記第２のハウジング２２に埋設され、好ましくは、本実施例の音声受信器６２は、部分的に第２のハウジング２２の外に露出することによって、音声信号Ｖ（例えば、ユーザーの口述コマンド）をはっきりと受信できるためのものであるが、本発明はこれに制限されるものではない。例えば、本発明に記述されない他の実施例において、前記音声受信器６２が完全に第２のハウジング２２内に収容され、前記第２のハウジング２２における音声受信器６２に対応する位置に少なくとも一つのスルーホールを形成してもよい。
【００４３】
前記音声識別器６３は、前記音声受信器６２に電気的に接続され、音声受信器６２に受信された音声信号Ｖを識別できるためのものである。前記無線コントローラー６４は、前記音声識別器６３に電気的に接続され、本実施例において、無線で前記複数の増設ソケット４００、４００'に接続される。これによって、前記無線コントローラー６４は、前記音声受信器６２に受信された音声信号Ｖ及び音声識別器６３による前記音声信号Ｖに対する識別に基いて、前記増設ソケット４００、４００'のオンとオフを制御できる。
【００４４】
例えば、増設ソケット４００、４００'のそれぞれは、少なくとも一つの電子装置５００、５００'（例えば、テレビ、オーディオ、又は他の家電）により挿入されて設置され、前記電子装置５００、５００'が作動する際に前記電力を供給できるためのものである。前記音声受信器６２でユーザーの口述コマンド（即ち音声信号Ｖ、例えば、オン又はオフ）を受信し、そして前記音声識別器６３により前記音声信号Ｖの識別を行い、識別の結果を無線コントローラー６４に伝えることによって、前記無線コントローラー６４はユーザーの口述コマンドに基いて、前記増設ソケット４００、４００'に命令を下し、電子装置５００、５００'に対して給電し、又は給電を停止することができる。即ち、前記無線コントローラー６４は、前記音声受信器６２に受信された音声信号Ｖ及び音声識別器６３による前記音声信号Ｖに対する識別に基いて、対応する電子装置５００、５００'を制御できる。
【００４５】
更に説明すると、前記音声識別器６３は、前記複数の増設ソケット４００、４００'のそれぞれに対応する複数の音声信号（図示せず）を区別できるものである。これによって、前記音声識別器６３により前記音声受信器６２に受信された音声信号Ｖを識別することによって、前記無線コントローラー６４は前記音声識別器６３によって識別された一つの増設ソケット４００、４００'をオン又はオフにすることができる。
【００４６】
例えば、前記音声受信器６２でユーザーの口述コマンド（即ち音声信号Ｖ、例えば、増設ソケット４００'をオンにする）を受信し、そして前記音声識別器６３により前記音声信号Ｖの識別を行い、識別の結果を無線コントローラー６４に伝えることによって、前記無線コントローラー６４はユーザーの口述コマンドに基いて、前記増設ソケット４００'に命令を下し、電子装置５００'に対して給電することができる。
【００４７】
また、図１５に示すように、本実施例の吊り掛け型ソケット装置１００は更に、前記吊り掛け部２と延伸部３の少なくとも一方に取り付ける（図１５において、延伸部３に取り付けることとして説明するが、これに限定しない）とともに、交流直流コンバーター６１に電気的に接続され、前記交流直流コンバーター６１からの直流電力を受けるためのスピーカー７を含んでもよい。前記スピーカー７は、音声制御モジュール６に電気的に接続され（例えば、無線で無線コントローラー６４に接続され）、音声制御モジュール６により制御されるためのものである。
【００４８】
また、前記音声制御モジュール６は前記音声受信器６２に受信された音声信号Ｖに基いて、前記スピーカー７の音量を制御することができる。例えば、前記音声受信器６２でユーザーの口述コマンド（即ち音声信号Ｖ、例えば、音量増加、音量低減、又は静音）を受信し、そして前記音声識別器６３により前記音声信号の識別を行い、識別の結果を無線コントローラー６４に伝えることによって、前記無線コントローラー６４はユーザーの口述コマンドに基いて、前記スピーカー７の音量増加、低減、又は静音のように命令を下す。
【００４９】
［実施例５］
図１６と図１７を参照し、これは本発明の実施例５であり、本実施例は前記実施例に類似しているため、同じ点は説明を省略するが、本実施例と前記実施例との主な相違点は以下の通りである。
【００５０】
本実施例の吊り掛け型ソケット装置１００には、前記実施例４に記載される音声制御モジュール６が設置されない。更に詳細には、本実施例の吊り掛け型ソケット装置１００は前記実施例１乃至３を基にして、更にスピーカー７と、交流直流コンバーター６１と、無線コントローラー６４とを含む。
【００５１】
その中で、前記スピーカー７、交流直流コンバーター６１、及び無線コントローラー６４は、設計者のニーズに応じて前記重り部１、吊り掛け部２、及び延伸部３の少なくとも一つに取り付けてもよいが、本発明はここでは制限しない。例えば、図１６に示すように、前記スピーカー７は前記延伸部３における第３のハウジング３１に取り付け、前記交流直流コンバーター６１及び無線コントローラー６４は前記吊り掛け部２における第２のハウジング２２に取り付ける。又は、図１７に示すように、前記スピーカー７は前記吊り掛け部２における第２のハウジング２２に取り付けてもよい。
【００５２】
更に説明すると、前記交流直流コンバーター６１を前記電源線４、スピーカー７、及び無線コントローラー６４に電気的に接続することによって、電源線４の交流電力を直流電力に変換し、そして前記直流電力をスピーカー７及び無線コントローラー６４に送電する。また、本実施例には、吊り掛け型ソケット装置１００に前記交流直流コンバーター６１を追加して設置することとして説明するが、本発明はこれに制限されるものではない。例えば、本発明に記述されない他の実施例において、前記ソケットユニット１１が直流ソケット及び対応する交流直流コンバーターを含む場合、本実施例の吊り掛け型ソケット装置１００は、前記ソケットユニット１１内の交流直流コンバーターを直接的に使用できる。
【００５３】
また、前記スピーカー７は、無線コントローラー６４に電気的に接続され（例えば、無線で接続され）、前記無線コントローラー６４によって制御されるためのものである。その中で、前記無線コントローラー６４は、外部無線信号（例えば、ブルートゥース、ローカルエリアネットワーク、又はインターネットなどからの無線信号）を受信することによって、前記外部無線信号に基いてスピーカー７の音量を制御するためのものである。
【００５４】
［本発明の実施例の技術的効果］
総じて言えば、本発明の実施例１乃至３に開示されている吊り掛け型ソケット装置は、板部材に吊り掛ける仕方によって、吊り掛け部の第２のソケットユニット及び重り部的第１のソケットユニットで、板部材の上方と板部材の下方ともにソケットを使用する必要がある場合を同時に満たすことができる。
【００５５】
また、前記吊り掛け型ソケット装置は、そのトップが前記板部材に当接するための位置制限構造を前記Ｕ字状の吊り掛け口内に設置することによって、吊り掛け型ソケット装置をしっかりと様々な厚さの板部材に吊り掛けることができる。
【００５６】
また、前記吊り掛け型ソケット装置の延伸部が可動的に重り部に接続できることによって、吊り掛け型ソケット装置を異なる環境に適用し、又はユーザーの異なるニーズに応えることができる。
【００５７】
本発明の実施例４に開示されている吊り掛け型ソケット装置は、無線で電子装置又はスピーカーを制御できる（例えば、音声制御モジュールを取り付けることによって対応して電子装置を制御できる、又は無線コントローラーを取り付けることによって対応してスピーカーを制御できる）ことによって、吊り掛け型ソケット装置の追加価値を向上させる。また、前記吊り掛け型ソケット装置の音声制御モジュールは更に、ローカルエリアネットワーク又はインターネットによって無線で増設ソケットに接続でき、さらにユーザーは音声制御モジュールによって増設ソケットを制御しやすくなる。また、前記吊り掛け型ソケット装置は、音声制御モジュールによってスピーカーの音量を制御できることによって、吊り掛け型ソケット装置の追加価値をより一層向上させる。
【００５８】
上述したのは本発明の好ましい実施可能な実施例に過ぎず、本発明の保護範囲を限定するためのものではなく、本発明の特許請求の範囲に基づき為された均等の変形と変更は、全て本発明の請求項の保護範囲に属するものとする。
【符号の説明】
【００５９】
１００    吊り掛け型ソケット装置
１        重り部
１１      第１のソケットユニット（即ちソケットユニット）
１１１    交流電源ソケット
１２      第１のハウジング
１２１    欠け口
１２２    収容溝
１３      スイッチユニット
２        吊り掛け部
２１      第２のソケットユニット
２１１    直流電源ソケット
２２      第２のハウジング
２３      スイッチユニット
３        延伸部
３１      第３のハウジング
４        電源線
５        位置制限構造
５１      トップ当接部材
５２      弾力部材
６        音声制御モジュール
６１      交流直流コンバーター
６２      音声受信器
６３      音声識別器
６４      無線コントローラー
７        スピーカー
Ｄ        横方向距離
Ｗ、Ｗ'、Ｗ''    幅
Ｈ        縦方向距離
Ｏ        Ｕ字状の吊り掛け口
Ｌ        長さ方向
Ｖ        音声信号
Ｉ        インターネット
２００    板部材
３００    給電ソケット（例えば、一般用ソケット）
４００、４００'    増設ソケット
５００、５００'    電子装置
【図１】
2018073832.tif 000003
【図２】
2018073832.tif 000004
【図３】
2018073832.tif 000005
【図４】
2018073832.tif 000006
【図５】
2018073832.tif 000007
【図６】
2018073832.tif 000008
【図７】
2018073832.tif 000009
【図８】
2018073832.tif 000010
【図９】
2018073832.tif 000011
【図１０】
2018073832.tif 000012
【図１１】
2018073832.tif 000013
【図１２】
2018073832.tif 000014
【図１３】
2018073832.tif 000015
【図１４】
2018073832.tif 000016
【図１５】
2018073832.tif 000017
【図１６】
2018073832.tif 000018
【図１７】
2018073832.tif 000019